(57)【要約】【課題】１サブフィールドのサスティン期間に印加するサスティンパルスを発光輝度の異なる複数種類のサスティンパルスで構成し、表示輝度に応じてサスティンパルスの構成比を変化させることで、実質的な表示階調数を増加させる。【解決手段】フレームを輝度重み付けをした複数のサブフィールドに置き換えて表示するプラズマディスプレイパネルの駆動方法であって、各サブフィールドの表示において、サスティン放電用のパルス状の電圧として、発光輝度の異なる複数種類の印加電圧波形を用い、当該サブフィールドに対して設定した輝度の重みに応じて、その複数種類の印加電圧波形の各波数を調整する。【選択図】図１
2005114753.tif 000002
【特許請求の範囲】
【請求項１】
フレームを輝度重み付けをした複数のサブフィールドに置き換えて表示するプラズマディスプレイパネルの駆動方法であって、
各サブフィールドの表示において、サスティン放電用のパルス状の電圧として、発光輝度の異なる複数種類の印加電圧波形を用い、
当該サブフィールドに対して設定した輝度の重みに応じて、前記複数種類の印加電圧波形の各波数を調整することを特徴とするプラズマディスプレイパネルの駆動方法。
【請求項２】
前記複数種類の印加電圧波形の各波数を入力輝度に応じて変化させることで階調表示を行うことを特徴とする請求項１記載のプラズマディスプレイパネルの駆動方法。
【請求項３】
前記複数種類の印加電圧波形を規則的に交互に配列させることを特徴とする請求項２記載のプラズマディスプレイパネルの駆動方法。
【請求項４】
前記複数種類の印加電圧波形の内、到達電位の高い印加電圧波形をサスティン期間の後半部に集中的に配置することを特徴とする請求項２記載のプラズマディスプレイパネルの駆動方法。
【請求項５】
前記複数種の印加電圧波形の内、到達電位の高い印加電圧波形をサスティン期間の中盤に集中的に配置し、その前後に到達電位の低い印加電圧波形を配置することを特徴とする請求項２記載のプラズマディスプレイパネルの駆動方法。
【請求項６】
前記複数種類の印加電圧波形の波数の構成比を、表示画像の表示率に応じて変化させることを特徴とする請求項１記載のプラズマディスプレイパネルの駆動方法。
【発明の詳細な説明】
【技術分野】
【０００１】
本発明は、プラズマディスプレイパネル（以後「ＰＤＰ」と記す）の駆動方法に関する。
【背景技術】
【０００２】
ＰＤＰは視認性に優れ、高速表示が可能であり、しかも比較的大画面化の容易な薄型表示デバイスである。マトリクス表示方式の、なかでも面放電型のＰＤＰは、駆動電圧の印加に際して対となる表示電極を同一の基板上に配列したＰＤＰであり、蛍光体によるカラー表示に適している。
【０００３】
従来、例えばＡＣ駆動方式の３電極面放電型のカラーＰＤＰとしては、特許文献１、特許文献２および特許文献３に記載のようなものが知られており、例えば特許文献３に記載のＰＤＰでは、以下のような構成となっている。すなわち、図１０に示すように、ＰＤＰ１０はガラスからなる前面側の基板１１と背面側の基板２１から構成されている。前面側の基板１１には、行Ｌ毎に一対ずつ面放電（表示用の主放電であるため表示放電と呼ばれたり、アドレス後のサスティン放電であるためサスティン放電と呼ばれたりする）発生用のサスティン電極（表示電極）Ｘ，Ｙが水平方向にほぼ平行に配置されている。行Ｌは画面における水平方向のセル列である。
【０００４】
サスティン電極Ｘ，Ｙは、それぞれが透明電極１２と金属電極（バス電極）１３で形成され、低融点ガラスからなる誘電体層１７で被覆されている。誘電体層１７の表面にはＭｇＯからなる保護層１８が設けられている。
【０００５】
背面側の基板２１上には、アドレス放電発生用の複数のアドレス電極（データ電極とも呼ばれる）Ａが形成されている。アドレス電極Ａは誘電体層２４によって被覆されている。誘電体層２４の上には、アドレス電極Ａを挟むように放電を物理的に区分するためのストライプ状の多数のリブ（隔壁）２９が垂直方向（サスティン電極と交差する方向）にほぼ平行に設けられている。これらのリブ２９によって放電空間３０が行方向にサブピクセル（単位発光領域）毎に区画され、かつ放電空間３０の間隙寸法が規定されている。
【０００６】
そして、リブ間の細長い溝内にはカラー表示のためのＲ，Ｇ，Ｂの３色の蛍光体層２８Ｒ，２８Ｇ，２８Ｂが形成されている。３色の配置パターンは、１列のセルの発光色が同一でかつ隣接する列どうしの発光色が異なるストライプパターンである。放電空間３０には主成分のネオンにキセノンを混合した放電ガスが充填されており、蛍光体層２８Ｒ，２８Ｇ，２８Ｂは放電時のキセノンが放つ紫外線によって局部的に励起されて発光する。
【０００７】
表示の１画素（ピクセル）は行方向に並ぶ３個のサブピクセルで構成される。各サブピクセル内の構造体が放電セル（表示素子）である。隔壁２９の配置パターンがストライプパターンであることから、放電空間３０のうちの各列に対応した部分は全ての行Ｌに跨がって列方向に連続している。そのため、隣接する行Ｌどうしの電極間隔（逆スリット）の寸法と各行Ｌの面放電ギャップとの比は、列方向の放電結合を防ぐことのできる値に選定されている。
【０００８】
表示は、サスティン電極Ｙとアドレス電極Ａとの間に電圧を印加し、両電極間でアドレス放電を発生させて点灯すべき放電セルを選択した後、サスティン電極Ｘ，Ｙ間にサスティン電圧（サスティンパルス）を交互に印加してサスティン放電を発生させることにより行う。
【０００９】
図１１は図１０で示したＰＤＰの平面図である。ＰＤＰ１０の基本となる最小の発光単位は、上述したように、サブピクセル（通常この最小のセルを単に「放電セル」という）Ｃであり、行方向に並ぶＲ用のサブピクセルＣ（Ｒ）と、Ｇ用のサブピクセルＣ（Ｇ）と、Ｂ用のサブピクセルＣ（Ｂ）との３個のサブピクセルで１つの画素Ｐが構成される。ＰＤＰのカラー表示は、１画素Ｐ内のＲ，Ｇ，Ｂの各色の階調を変化させることにより行う。
【００１０】
図１２は図１０で示したＰＤＰのフィールド構成および駆動電圧波形の一例を示す説明図である。ＰＤＰの階調表現は、２値の点灯制御によって行うため、入力画像である時系列のフレームＦが奇数フィールドｆと偶数フィールドｆからなる場合、各フィールドｆ（符号の添字は表示順位を表す）を、点灯時間の異なる例えば８個のサブフィールドｓｆ１，…，ｓｆ８に分割することによって行う。言い換えれば、フィールドｆを８個のサブフィールドｓｆ１〜ｓｆ８の集合に置き換え、これらサブフィールドｓｆ１〜ｓｆ８における輝度の相対比率が１：２：４：１６：３２：６４：１２８となるように重み付けをして各サブフィールドｓｆ１〜ｓｆ８の発光回数を設定する。
【００１１】
１フィールドを８つのサブフィールドで構成すれば、サブフィールド単位の点灯／非点灯の組み合わせで、Ｒ，Ｇ，Ｂの各色毎に２５６段階の輝度設定を行うことができるので、表示可能な色の数（発色数）は２５６３となる。各サブフィールドｓｆ１〜ｓｆ８に割り当てるサブフィールド時間Ｔｓｆは、画面全体の放電セルの電荷を初期化するリセット期間ＴＲと、例えば書き込み形式でアドレッシングを行う場合であれば点灯すべき放電セルを選択するアドレス期間ＴＡと、階調レベルに応じた輝度を確保するために点灯状態を維持するサスティン期間ＴＳからなる。
【００１２】
各サブフィールド期間Ｔｓｆにおいて、サスティン期間ＴＳの長さは輝度の重みが大きいほど長いが、リセット期間ＴＲおよびアドレス期間ＴＡの長さは輝度の重みに関わらず一定である。つまり、１つのフィールドｆに対応する８つのサブフィールド期間Ｔｓｆの長さは互いに異なり、輝度の重みが小さいほど、サブフィールド期間Ｔｓｆに対するサスティン準備期間（＝リセット期間ＴＲ＋アドレス期間ＴＡ）の長さの割合が大きくなる。
【００１３】
【特許文献１】特開平１１−６５５２３号公報
【特許文献２】特開２００１−５４２３号公報
【特許文献３】特開２００２−１８９４４３号公報
【発明の開示】
【発明が解決しようとする課題】
【００１４】
このように、階調表現をサブフィールド法によって行うＰＤＰにおいては、サスティン放電の回数によって輝度を表現するので、１回のサスティン放電の輝度により細かな輝度重みの設定は困難であるという課題があった。例えば２５６階調を表現する際に、総サスティン放電回数が２５５の整数倍以外の場合においては、正確な輝度重みの設定は不可能である。さらに階調表示数、走査線数、輝度（サスティン放電回数に比例するサスティン期間ＴＳの長さ）は、１フィールド長ｆの時間制約により、相互関係を有する。
【００１５】
そのため、例えばハイビジョン用フルカラーＰＤＰのように、走査線の本数が多い場合には、アドレス期間ＴＡが長くなるが、その分各サブフィールドにおける発光回数（サスティンパルス数）を減少させると、それにより輝度が低下し、画面が暗くなってしまうという問題があった。
【００１６】
この問題に対し、高い輝度を得るために、サブフィールド数を少なくした場合、人間の階調認識性に優れた映像暗部において、階調の荒さ、ザラツキ感が目立ち、表示品位を阻害してしまうという問題があった。
【００１７】
さらに、従来のＰＤＰは、ＣＲＴのような他の表示デバイスに比較して、時間に対する輝度の劣化率が大きく、表示信頼性に問題があった。
【００１８】
本発明は、このような事情を考慮してなされたもので、サスティン放電用のパルスとして、発光輝度の異なる複数種類のサスティンパルスを使用し、各サブフィールドに設定される輝度重みに応じて各複数種類のサスティンパルスの波数を調整することで、輝度設定の正確性を増すことを目的とするものである。さらに表示輝度に応じてサスティンパルスの構成比を変化させることで、実質的な表示階調数を増加させることを目的とするものである。
【課題を解決するための手段】
【００１９】
本発明は、フレームを輝度重み付けをした複数のサブフィールドに置き換えて表示するプラズマディスプレイパネルの駆動方法であって、各サブフィールドの表示において、サスティン放電用のパルス状の電圧として、発光輝度の異なる複数種類の印加電圧波形を用い、当該サブフィールドに対して設定した輝度の重みに応じて、前記複数種類の印加電圧波形の各波数を調整することを特徴とするプラズマディスプレイパネルの駆動方法である。
【発明の効果】
【００２０】
本発明によれば、複数種類の印加電圧波形の構成比を変化させることによって階調表示を行うことができるので、各サブフィールドの設定輝度重み設定の正確さが増す。またサスティン期間以外のアドレス期間などを圧迫することなく、従来よりも高輝度で階調豊かな表示を行うことができる。
【発明を実施するための最良の形態】
【００２１】
本発明において、基板としては、ガラス、石英、セラミック等の基板や、これらの基板上に、電極、絶縁膜、誘電体層、保護膜等の所望の構成物を形成した基板が含まれる。
【００２２】
表示電極および選択用電極は、当該分野で公知の各種の材料と方法を用いて形成することができる。表示電極および選択用電極に用いられる材料としては、例えば、ＩＴＯ、ＳｎＯ２などの透明な導電性材料や、Ａｇ、Ａｕ、Ａｌ、Ｃｕ、Ｃｒなどの金属の導電性材料が挙げられる。表示電極および選択用電極の形成方法としては、当該分野で公知の各種の方法を適用することができる。たとえば、印刷などの厚膜形成技術を用いて形成してもよいし、物理的堆積法または化学的堆積法からなる薄膜形成技術を用いて形成してもよい。厚膜形成技術としては、スクリーン印刷法などが挙げられる。薄膜形成技術の内、物理的堆積法としては、蒸着法やスパッタ法などが挙げられる。化学的堆積方法としては、熱ＣＶＤ法や光ＣＶＤ法、あるいはプラズマＣＶＤ法などが挙げられる。
【００２３】
本発明においては、１サブフィールドのサスティン期間に印加するパルス状の電圧（サスティンパルス）を、発光輝度の異なる複数種類の印加電圧波形で構成する。
【００２４】
このサスティン期間に印加するサスティンパルスとしては、一般に矩形の電圧波形が用いられる。この矩形の電圧波形を用いて発光輝度を異ならせるには、電圧の実効値を変化させればよく、そのためには電圧波形の振幅（到達電位）を変化させればよい。ただし、単に矩形波にて電圧振幅を大きくした場合には駆動マージンが減少してしまうため、駆動マージンを減少させずに１パルス当たりの発光輝度が異なる印加電圧波形として、例えば特開２００３−２９７０００号公報に開示のような、パルス波形の立上がりのみを高電圧振幅としたパルス電圧波形を用いればよい。
【００２５】
この印加電圧波形の変形は、発光輝度を異ならせる程度の変化であれば、どの程度であってもよく、変化の段階に特に制限はない。しかしながら、変化の段階をあまり細かく設定しても制御を複雑にするだけであるため、２段階〜３段階の程度にとどめることが望ましい。つまり、印加電圧波形としては、発光輝度の異なる２種類〜３種類程度の電圧波形に設定することが望ましい。
【００２６】
以下、図面に示す実施の形態に基づいて本発明を詳述する。なお、本発明はこれによって限定されるものではなく、各種の変形が可能である。
本発明の駆動方法を適用するＰＤＰは、図１０および図１１で示したＰＤＰと同じ構成である。また、ＰＤＰのフィールド構成および駆動電圧波形についても、基本的には図１２に示した構成と同じである。ただ、１サブフィールドのサスティン期間に印加するサスティンパルスの波形のみが異なる。したがって、以下の実施形態では、この１サブフィールドのサスティン期間に印加するサスティンパルスの波形のみを説明する。
【００２７】
実施形態１
図１（ａ）は本発明の実施形態１におけるサスティンパルスの説明図である。
本実施形態においては、１サブフィールドのサスティン期間ＴＳに印加するサスティンパルスを、発光輝度の異なる、つまり到達電位の異なる２種類のサスティンパルスで構成している。
【００２８】
到達電位の低いサスティンパルスの印加電圧波形１は、図１２で示した従来の矩形の印加電圧波形（矩形パルス）と同じものである。以後、印加電圧波形１を「矩形パルス１」という。
【００２９】
到達電位の高いサスティンパルスの印加電圧波形２は、矩形パルス１にプライミングパルス（オフセット電圧）を加えたものである。以後、印加電圧波形２を「オフセットパルス２」という。このオフセットパルス（プライミングパルス）の印加は、本願出願人による特願平１１−１８６３９１号に記載の駆動回路などを適用して行うことができる。
【００３０】
矩形パルス１とオフセットパルス２は、１回あたりの放電の大きさ（放電規模）が異なる。すなわち、放電の際の発光輝度が、矩形パルス１よりもオフセットパルス２のほうが大きい。そのため、オフセットパルス２を印加すれば、サスティンパルスのパルス数（波数：電圧印加の回数）を減らすことができるので、矩形パルス１だけを印加する場合と比較して、サスティン期間ＴＳを短くすることができる。
【００３１】
図１（ｂ）は比較例であり、サスティン期間ＴＳ内に矩形パルス１だけを印加した場合を示している。
【００３２】
一般に、１サブフィールドをみた場合、１サブフィールドのトータルな輝度は、サスティン期間ＴＳにおけるパルス数に比例するが、図１（ａ）と図１（ｂ）を比較してわかるように、本実施形態では、発光輝度の高いオフセットパルス２を矩形パルス１に混在させる。このため、矩形パルス１だけを印加する場合よりもパルス数を減少させることができ、それによりサスティン期間ＴＳを短くすることができる。
【００３３】
このため、比較例と同じ長さのサスティン期間ＴＳ内では、より多くのサスティンパルスを印加することができ、高輝度な表示が可能となる。さらに、矩形パルス１とオフセットパルス２の波数を調整し、その構成比を任意に変化させることで、当該サブフィールドの発する表示輝度を細かく調整することができる。すなわち、当該サブフィールドの輝度重み設定の正確さが増す。またパルスの構成比による調整とサブフィールドの点灯／非点灯による階調制御と併用することによって、より細やかな階調制御が可能となる。
【００３４】
本実施形態では、サスティンパルスとして発光輝度の異なる２種類のパルスを混在させているが、３種類以上のパルスを混在させて同様の制御を行うことで、さらに細やかな階調制御が可能である。
【００３５】
実施形態２
図２は本発明の実施形態２におけるサスティンパルスの説明図である。
本実施形態のサスティンパルスは、矩形パルス１とオフセットパルス２の配列が実施形態１と異なっている。
【００３６】
実施形態１のように、２種類のサスティンパルスを種類ごとに集中配置した場合には、単位放電空間のセル構造によっては、特定領域に偏った壁電荷が形成されてしまうことがあり、リセット期間に放電空間内の壁電荷が均一にリセットされない場合がある。
【００３７】
本実施形態では、発光輝度の異なる２種類のサスティンパルスを交互に配置している。すなわち、矩形パルス１とオフセットパルス２を交互に配置している。これにより、放電空間内の壁電荷が均一に形成され、リセット期間において壁電荷を均一化させることが容易となり、ＰＤＰの表示の安定化を図ることができる。
【００３８】
実施形態３
図３は本発明の実施形態３におけるサスティンパルスの説明図である。
本実施形態では、到達電位の低いサスティンパルスをサスティン期間ＴＳの前半部ＴＳｐ１に集中的に配置し、到達電位の高いサスティンパルスを後半部ＴＳｐ２に集中的に配置している。つまり、矩形パルス１をサスティン期間の前半部ＴＳｐ１に集中的に配置し、オフセットパルス２を後半部ＴＳｐ２に集中的に配置している。
【００３９】
オフセットパルス２は、到達電位が高く、より大きな放電を引き起こすため、サスティン期間の前半部ＴＳｐ１で矩形パルス１の小さな放電によって形成された不均一な壁電荷を払拭し、放電空間内の壁電荷を均一に形成させる。これにより、ＰＤＰの表示の安定化を図ることができる。
【００４０】
実施形態４
図４は本発明の実施形態４におけるサスティンパルスの説明図である。
本実施形態では、サスティン期間ＴＳの前半部ＴＳｐ１に矩形パルス１を集中的に配置し、中盤ＴＳｐ２にオフセットパルス２を集中的に配置し、後半部ＴＳｐ３に再び矩形パルス１を集中的に配置している。
【００４１】
ＰＤＰのセル構造によっては、到達電位の高いオフセットパルス２を印加すると、特定領域に不均一に形成される電荷がより多くなってしまう時がある。このようなセル構造のＰＤＰに対しては、電荷調整用の矩形パルス１を後半部ＴＳｐ３に集中的に配置する。これによって、任意のセル構造のＰＤＰに対しても、表示の安定化を図ることができる。
【００４２】
実施形態５
図５は本発明の実施形態５におけるサスティンパルスの説明図である。
本実施形態では、サスティン期間ＴＳに、到達電位が中間のサスティンパルスと、到達電位の高いサスティンパルスと、到達電位の低いサスティンパルスとの、３種類のサスティンパルスを配置している。
【００４３】
すなわち、サスティン期間ＴＳの前半部ＴＳｐ１に中間パルス２を集中的に配置し、中盤ＴＳｐ２にオフセットパルス２を集中的に配置し、後半部ＴＳｐ３に矩形パルス１を集中的に配置している。
【００４４】
このように、発光輝度の異なる３種類のサスティンパルスを用いることにより、２種類のサスティンパルスを用いた場合よりも、より細やかな階調制御が可能となる。また、実施形態４と同様の効果も得られる。
【００４５】
図６はＰＤＰの画面の表示率（％）と輝度（Ｌ：ルクス）との関係を示すグラフであり、パネル負荷特性を示すものである。画面の表示率とは、画面の全セルに対する発光セルの割合を示すものであり、１フレームごとに変化する。
【００４６】
通常の動画を表示した場合、画面の表示率は３０％以下となることが多いが、このグラフに示すように、ＰＤＰの表示においては、一般に、画面の表示率が小さいフレームでは、サスティンパルス数を増加させて高輝度化を図り、画面の表示率が大きいフレームでは、サスティンパルス数を減少させて消費電力の低下を図っている。また、これにより、液晶パネル等よりも階調のダイナミックレンジの広い画像を表示している。
【００４７】
本発明では、このサスティンパルス数の制御に加えて、発光輝度の異なる複数種類のサスティンパルスを用い、さらにそれらのパルスの構成比を変化させる制御を行うことにより、より一層ダイナミックレンジの広い、高画質な画像を表示することができる。
【００４８】
図７は表示画像データが最大表示階調数２ｎ（ｎはサブフィールド数）より小さい範囲に分布しているときの階調とその度数（ドット数：セル数）との関係を示すグラフである。このグラフは、１フィールドを８つのサブフィールドで構成した場合（サブフィールド数：８）を示している。このとき、実施形態１〜実施形態５の制御を行うことで、実質的な表示階調数を高めることができる。
【００４９】
図８はサブフィールド数が８の場合の輝度比を示す説明図である。
この表は、２５６階調数（実質階調数８ビット）で表示を行う場合の各サブフィールドの輝度比である。すなわち、１サブフィールドのサスティン期間に、矩形パルスとオフセットパルスを、以下の構成率で印加した場合の、第１サブフィールド（１ＳＦ）〜第８サブフィールド（８ＳＦ）における輝度比を示したものである。オフセットパルスの輝度比は１．０とし、矩形パルスの輝度比は０．５としている。
【００５０】
構成率とは、オフセットパルスの構成率を示している。したがって、構成率１００％とはオフセットパルスのみを印加した場合を示し、構成率５０％とはオフセットパルスと矩形パルスを１：１の割合で印加した場合を示し、構成率０％とは矩形パルスのみを印加した場合を示している。
【００５１】
比較例として示したものは、オフセットパルス２のみを印加して、２５６階調数（実質階調数８ビット）で表示を行う時の各ＳＦの輝度比である。
【００５２】
構成（１）として示したものは、本発明の駆動方法であり、オフセットパルスと矩形パルスの構成比を１：１とした時の各ＳＦの輝度比である。このように、パルスの構成比を１：１とした場合、最大階調（最大輝度）が“１９１．２５（１ＳＦ〜８ＳＦの輝度の合計）”までの特定表示画像においては（例えば図７）、２５６／１９１．２５倍の階調（実質階調１２ビット）にて表示を行うことができる。つまり、表示できる最大輝度比は“１９１．２５”であるが、この最大輝度の値を“２５６”のきざみで表示できるため、実質階調数を増加させることができる。
【００５３】
構成（２）として示したものは、矩形パルスにみを印加した時の各ＳＦの輝度比である。このように、矩形パルスのみを印加した場合、最大階調（最大輝度）が“１２７．５（１ＳＦ〜８ＳＦの輝度の合計）”までの特定表示画像においては、２５６／１２７．５倍の階調（実質階調１６ビット）にて表示を行うことができる。つまり、表示できる最大輝度比は“１２７．５”であるが、この最大輝度の値を“２５６”のきざみで表示できるため、実質階調数を増加させることができる。
【００５４】
このように本発明を適用することによって、特定表示画像において、従来よりも階調数が豊かで高画質な画像を表示することができる。
【００５５】
図９はサスティンパルスの構成比を表示時間に従って変化させる例を示すグラフである。
このグラフは、横軸に表示時間Ｔを、縦軸に発光輝度Ｌを示している。この例では、１サブフィールドのサスティン期間内に、発光輝度の異なる複数種類のサスティンパルスを混在させる。そして、表示装置の表示時間Ｔに従ってサスティンパルスの構成比を変化させることで、グラフに示すような輝度Ｌになるようにしている。
【００５６】
このように、サスティンパルスの構成比を表示時間に従って変化させることで、情報表示用モニター分野などの特定用途のＰＤＰを、輝度変化の小さい、表示の安定したＰＤＰとすることができる。
【００５７】
以上述べたように、１サブフィールドのサスティン期間に印加するサスティンパルスを発光輝度の異なる複数種類のサスティンパルスで構成し、表示輝度に応じてサスティンパルスの構成比を変化させることで、実質的な表示階調数を増加させることができる。
【００５８】
すなわち、本発明によれば、サスティンパルスとして発光輝度の異なる複数種類の印加電圧波形を使用し、各サブフィールドに設定される輝度重みに応じて各複数種類の印加電圧波形を調整することで、より正確な輝度重みの設定を行うことができる。さらに、本発明によれば、サブフィールドの点灯／非点灯によって階調表示を行い得るだけでなく、複数種類の印加電圧波形の構成比を変化させることによって階調表示を行うことができる。よって、サスティン期間以外のアドレス期間などを圧迫することなく、従来よりも高輝度で階調豊かな表示を行うことができる。
【図面の簡単な説明】
【００５９】
【図１】本発明の実施形態１におけるサスティンパルスの説明図および比較例である。
【図２】本発明の実施形態２におけるサスティンパルスの説明図である。
【図３】本発明の実施形態３におけるサスティンパルスの説明図である。
【図４】本発明の実施形態４におけるサスティンパルスの説明図である。
【図５】本発明の実施形態５におけるサスティンパルスの説明図である。
【図６】ＰＤＰの画面の表示率と輝度との関係を示すグラフである。
【図７】ＰＤＰの階調とその度数との関係を示すグラフである。
【図８】サブフィールド数が８の場合の輝度比を示す説明図である。
【図９】サスティンパルスの構成比を表示時間に従って変化させる例を示すグラフである。
【図１０】従来のＡＣ駆動方式の３電極面放電型のカラーＰＤＰの構成を示す斜視図である。
【図１１】図１０で示したＰＤＰの平面図である。
【図１２】図１０で示したＰＤＰのフィールド構成および駆動電圧波形を示す説明図である。
【符号の説明】
【００６０】
１  矩形パルス
２  オフセットパルス
３  中間パルス
１１  前面側の基板
１２  透明電極
１３  金属電極
１７，２４  誘電体層
１８  保護層
２１  背面側の基板
２８Ｒ，２８Ｇ，２８Ｂ  蛍光体層
２９  隔壁
３０  放電空間
Ａ  アドレス電極
Ｃ  放電セル
Ｘ，Ｙ  サスティン電極
【図１】
2005114753.tif 000003
【図２】
2005114753.tif 000004
【図３】
2005114753.tif 000005
【図４】
2005114753.tif 000006
【図５】
2005114753.tif 000007
【図６】
2005114753.tif 000008
【図７】
2005114753.tif 000009
【図８】
2005114753.tif 000010
【図９】
2005114753.tif 000011
【図１０】
2005114753.tif 000012
【図１１】
2005114753.tif 000013
【図１２】
2005114753.tif 000014